(57)【要約】【課題】  受光手段が受光する光強度の変化を低減することによって、特定の光ディスクであるか否かを精度良く判別することができる光ディスク装置を提供する。【解決手段】  特定の光ディスク以外の光ディスクにはデータを書き込まないようにする光ディスク装置２０であって、光照射手段４０〜４４が照射した光を反射可能な位置に配置された補正用反射板５８と、補正用反射板５８によって反射される反射光強度の初期値が予め記憶されている初期値記憶手段６０と、補正用反射板５８からの反射光強度と、初期値記憶手段６０に記憶されている初期値とを比較し、該比較した結果に基づいて、光照射手段４０〜４４が照射する光の強度または受光手段４６の受光感度を補正する補正手段５６とを具備する。【選択図】        図１
2006236462.tif 000002
【特許請求の範囲】
【請求項１】
特定の光ディスク以外の光ディスクにはデータを書き込まないようにする光ディスク装置であって、
装着された光ディスクに対して所定の波長の光を照射する光照射手段と、
光ディスクに該光照射手段が照射した光の反射光を受光する受光手段と、
装着されている光ディスクが特定の光ディスクであるか否かを判別するために、前記受光手段が受光した反射光と比較するための判別用データが予め記憶されている判別用データ記憶手段と、
前記受光手段が受光した反射光と前記記憶手段内の判別用データとを比較し、装着されている光ディスクが特定の光ディスクであるか否かを判別する判別手段と、
該判別手段が、装着されている光ディスクが前記特定の光ディスクではないと判別した場合には、データ書き込みを実行しないように制御する制御手段と、
前記光照射手段が照射した光を反射可能な位置に配置された補正用反射板と、
該補正用反射板によって反射される反射光強度の初期値が予め記憶されている初期値記憶手段と、
前記補正用反射板からの反射光強度と、初期値記憶手段に記憶されている初期値とを比較し、該比較した結果に基づいて、前記光照射手段が照射する光の強度または前記受光手段の受光感度を補正する補正手段とを具備することを特徴とする光ディスク装置。
【請求項２】
前記補正手段は、
前記光ディスクの装着が所定回数実行されるごとに動作することを特徴とする請求項１記載の光ディスク装置。
【請求項３】
前記補正手段は、
当該光ディスク装置の電源がオンになるごとに動作することを特徴とする請求項１記載の光ディスク装置。
【請求項４】
前記光照射手段は、光ディスクにデータ読み書き用のレーザ光を照射する光ピックアップよりも光ディスクから離間した位置に設けられ、
前記補正用反射板は、光ピックアップのレーザ光を照射する面と反対の面に設けられていることを特徴とする請求項１〜請求項３のうちのいずれか１項記載の光ディスク装置。
【請求項５】
前記補正用反射板は、
トップケースの内壁面に設けられていることを特徴とする請求項１〜請求項３のうちのいずれか１項記載の光ディスク装置。
【発明の詳細な説明】
【技術分野】
【０００１】
本発明は、光ディスクに対してデータの書き込みが可能な光ディスク装置に関し、より詳細には特定の光ディスクにのみデータの書き込みが可能な光ディスク装置に関する。
【背景技術】
【０００２】
データを書き込み可能なＣＤ−Ｒ、ＣＤ−ＲＷ、ＤＶＤ−ＲＡＭ、ＤＶＤ−Ｒ、ＤＶＤ−ＲＷ、ＤＶＤ+Ｒ、ＤＶＤ＋ＲＷ等の光ディスクは、容易に消費者が入手でき、消費者は光ディスク装置を用いて自らデータの書き込みを光ディスクに行うことが一般的である。
【０００３】
一方、喫茶店等におけるビジネスにおいては、店舗内に光ディスクへのデータ記録可能な光ディスク装置と、音楽等のコンテンツを予め記憶しているかまたはこのようなコンテンツを提供するＷＥＢサイト上からダウンロード可能に設けたコンテンツ提供装置（例えばパーソナルコンピュータ）を設置し、入店した顧客に顧客の好きなコンテンツを有料で光ディスクに記録してもらうサービスの提供が検討されている。
【０００４】
かかるサービスでは、店舗側でコンテンツおよび光ディスクを有料で販売し、顧客は店舗側で販売した光ディスクを用いてコンテンツの記録を行ってもらうことが考えられている。
しかし、顧客が自ら持ち込んだ光ディスクにコンテンツを勝手に記録するような事態になると、店舗側での光ディスクの販売による利益を上げることができない。
【０００５】
そこで、店舗側で販売する光ディスクには、一般に販売されている光ディスクとは異なる特性を持たせ、光ディスク装置ではこの特性から店舗側で販売した光ディスクであるか否かを判断し、店舗側で販売した光ディスクにのみコンテンツの記録が可能となるような機能を持たせることが望まれている。
【０００６】
一般に販売されている光ディスクとは異なる特性を有する光ディスクの例として、特許文献１や特許文献２に記載されているようなものが挙げられる。
特許文献１に開示されている光ディスクは、蛍光体微粒子を混入させた透明な特殊インクを用いて判別用のマークを光ディスク内に描いておき、所定波長の光を照射することにより、特殊インク中の蛍光体を発光させることでマークを浮かび上がらせ、特定の光ディスクであるか否かを判別しようとするものである。
【０００７】
また、特許文献２には、データ記憶用のカートリッジに対してカートリッジの種類に応じて異なる発光材料であるマーカーを設けておき、そのカートリッジがドライブでの使用に適しているか否かを識別する構成が開示されている。
【０００８】
上述したような蛍光体や発光材料を用いた特定の光ディスクを光ディスク装置内で検出するには、蛍光体を発光させるために所定の波長の光を光ディスクに照射し、光ディスクの発光を検出する必要がある。
そこで、光ディスク装置内にＬＥＤ等の光照射手段とセンサとを設け、光照射手段によって光ディスクに光を照射し、光ディスクからの反射光の光強度を検出し、この光強度の大きさに基づいて特定の光ディスクか否かを判別する方法が提案されている。
【０００９】
【特許文献１】特開平７−１９２３８５号公報
【特許文献２】特表２００１−５１７８４７号公報
【発明の開示】
【発明が解決しようとする課題】
【００１０】
経年変化等によりＬＥＤ等の光照射手段が照射する光の光強度が変化してしまった場合や、光ディスク装置内に塵埃が付着等してしまった場合には、センサが検出する光強度も初期状態からは変わってきてしまうので、特定の光ディスクであるかどうかの判別が正確に行えなくなってくるという課題がある。
【００１１】
そこで、本発明の目的は、上記課題を解決すべくなされ、その目的とするところは、受光手段が受光する光強度の変化を低減することによって、特定の光ディスクであるか否かを精度良く判別することができる光ディスク装置を提供することにある。
【課題を解決するための手段】
【００１２】
本発明にかかる光ディスク装置によれば、特定の光ディスク以外の光ディスクにはデータを書き込まないようにする光ディスク装置であって、装着された光ディスクに対して所定の波長の光を照射する光照射手段と、光ディスクに該光照射手段が照射した光の反射光を受光する受光手段と、装着されている光ディスクが特定の光ディスクであるか否かを判別するために、前記受光手段が受光した反射光と比較するための判別用データが予め記憶されている判別用データ記憶手段と、前記受光手段が受光した反射光と前記記憶手段内の判別用データとを比較し、装着されている光ディスクが特定の光ディスクであるか否かを判別する判別手段と、該判別手段が、装着されている光ディスクが前記特定の光ディスクではないと判別した場合には、データ書き込みを実行しないように制御する制御手段と、前記光照射手段が照射した光を反射可能な位置に配置された補正用反射板と、該補正用反射板によって反射される反射光強度の初期値が予め記憶されている初期値記憶手段と、前記補正用反射板からの反射光強度と、初期値記憶手段に記憶されている初期値とを比較し、該比較した結果に基づいて、前記光照射手段が照射する光の強度または前記受光手段の受光感度を補正する補正手段とを具備することを特徴としている。
【００１３】
この構成を採用することによる作用は以下の通りである。
すなわち、本発明では、光照射手段の経年変化や光ディスク装置内の塵埃の影響で、受光手段が受光する光強度が初期状態の強度から変化してきた場合であっても、光ディスク装置内で自動的に光照射手段の照射する光の強度や受光手段の感度を補正することで受光手段が受光する光強度を初期状態と同様の状態に戻すことができる。このため、特定の光ディスクであるか否かの判別を精度良く行なうことができる。
【００１４】
前記補正手段は、前記光ディスクの装着の所定回数実行されるごとに動作することを特徴としてもよい。また、前記補正手段は、当該光ディスク装置の電源がオンになるごとに動作することを特徴としてもよい。
この構成によれば、定期的なメンテナンスとして自動的に補正が行なわれるので、長期間にわたって精度良く特定の光ディスクであるか否かの判別を行なうことができる。
【００１５】
また、前記光照射手段は、光ディスクにデータ読み書き用のレーザ光を照射する光ピックアップよりも光ディスクから離間した位置に設けられ、前記補正用反射板は、光ピックアップにおいてレーザ光を照射する面と反対の面に設けられていることを特徴としてもよい。
かかる場合には、補正手段が動作する際には、光照射手段が照射する光の線上に光ピックアップを配置させ、補正用反射板に光を照射させることができる。
【００１６】
また、前記補正用反射板は、トップケースの内壁面に設けられていることを特徴としてもよい。
かかる構成の場合、補正手段の動作は、光ディスクが装着されていないときであって、且つ光照射手段が照射する光の線上には光ピックアップが位置しないように光ピックアップを移動させた後に行なう必要がある。
【発明の効果】
【００１７】
本発明にかかる光ディスク装置によれば、装着された光ディスクが特定の光ディスクである場合にのみデータの書き込みを実行する際の、特定の光ディスクであるか否かの判定を、精度良く行なうことができる。
【発明を実施するための最良の形態】
【００１８】
（実施例１）
以下、本発明にかかる好適な実施例を添付図面に基づいて説明する。
まず、本発明の光ディスク装置の構成を、図１に基づいて説明する。
光ディスク装置２０は、装着された光ディスク２１にデータ書き込み可能に設けられており、装着された光ディスク２１が特定の光ディスクか否かを判別し、特定の光ディスクである場合にのみデータ書き込み可能とする機能を有するものである。
【００１９】
まず、光ディスク装置２０における通常の動作を実行する構成要素について説明する。
光ディスク装置２０は、光ディスク２１を回転させるスピンドルモータ２２と、光ディスク２１にレーザ光を照射すると共に光ディスク２１から反射されたレーザ光を受光する光ピックアップ２４とを具備している。
光ピックアップ２４は、送りモータ２７の駆動によりスレッド軸２５上を光ディスク２１の径方向に移動可能に設けられている。
【００２０】
光ピックアップ２４で受光した光ディスク２１からのレーザ反射光強度信号ａは、ＲＦアンプ２６に出力される。ＲＦアンプ２６では、トラッキングエラー信号ｂ、フォーカスエラー信号ｃ、ウォブル信号ｄ等の各制御信号が生成される。
ＲＦアンプ２６で生成されたトラッキングエラー信号ｂ、フォーカスエラー信号ｃは、サーボプロセッサ２８に入力され、サーボプロセッサ２８はこれら制御信号に基づいて、光ピックアップ２４のトラッキングサーボ、フォーカスサーボを制御する。
ウォブル信号ｄは、ＰＬＬ回路３１に入力され、ＰＬＬ回路３１ではウォブル信号に基づいてデータ書き込み時に用いる同期信号ｅが生成される。同期信号ｅは、後述するエンコーダ３０に入力される。
【００２１】
光ディスク２１へ書き込むべきデータは、エンコーダ３０内に入力され、データのＥＦＭ変調やＥＦＭ＋変調等のエンコード処理がなされ、ＰＬＬ回路３１から入力された同期信号ｅに同期される。
エンコーダ３０でエンコード処理されたデータは、レーザドライバ３２に入力される。レーザドライバ３２では、エンコードされたデータに基づいて光ピックアップ２４内のレーザダイオードの駆動電流を制御し、光ピックアップ２４にデータの書き込みを行なわせる。
【００２２】
光ディスク装置２０全体の動作は、ＣＰＵ４８が制御している。
ＣＰＵ４８は、スピンドルモータ２２や、サーボプロセッサ２８その他の構成要素を制御し、データ読み出し時やデータ書き込み時の動作を統括制御する。
【００２３】
以下、本発明に特有な構成要素について説明する。まず、特定の光ディスクについて説明する。
本実施例で想定している特定の光ディスクとは、光ディスクを構成する材料に蛍光体を混入させたものである。
蛍光体を混入させたことにより、特定の光ディスクに所定の波長の光を照射することによって該特定の光ディスクは発光する。この発光を検出することにより、光ディスクが特定の光ディスクであるか否かを判別することができる。
なお、特許請求の範囲および本明細書中でいう、ＬＥＤで光を照射したときの光ディスク２１からの反射光とは、光ディスク２１において単に反射する光だけではなく、光ディスク２１中で蛍光体が生ずる蛍光を含む概念である。
【００２４】
光ディスク装置２０内には、光ディスク２１に対して所定波長の光を照射するための機構が設けられている。具体的には、ＵＶを照射するＵＶＬＥＤ４０と、白色光を照射する白色ＬＥＤ４２と、青色光を照射する青色ＬＥＤ４４とが設けられている。
各ＬＥＤ４０，４２，４４は、装着された光ディスク２１の記録面側に光を照射できるように光ディスク２１に対して光ピックアップ２４と同一の側に設けられている。
【００２５】
光ディスク装置２０には、各ＬＥＤ４０，４２，４４が照射した光の光ディスク２１からの反射光を受光するために，受光手段の一例としてＲＧＢセンサ４６が設けられている。
ＲＧＢセンサ４６は、赤（Ｒｅｄ）、緑（Ｇｒｅｅｎ）、青（Ｂｌｕｅ）の３色のそれぞれの光強度を検出可能な素子であって、フォトダイオードの受光面側に赤、緑、青のフィルターのいずれかが配置されるように切換可能に設けられているものである。赤のフィルターが受光面側に配置されているときは赤色光の光強度を検出し、緑のフィルターが受光面側に配置されているときは緑色光の光強度を検出し、青のフィルターが受光面側に配置されているときは青色光の光強度を検出することができる。
【００２６】
各ＬＥＤ４０，４２，４４のそれぞれの照射のオン―オフは、ＣＰＵ４８が制御している。ＣＰＵ４８は、各ＬＥＤ４０，４２，４４に対してオン―オフ制御信号ｆを出力し、各ＬＥＤによる各色の光の照射を切換えている。
【００２７】
ＲＧＢセンサ４６の各色のフィルターの切換えもＣＰＵ４８によって制御されている。すなわち、ＣＰＵ４８は所定のタイミングでフィルター切換信号ｇをＲＧＢセンサ４６へ出力し、ＲＧＢセンサ４６が検出する光の色を選択している。
【００２８】
ＣＰＵ４８には、光ディスク判別用データが記憶されているＲＯＭ等の記憶手段５０が接続されている。
光ディスク判別用データとは、ＲＧＢセンサ４６がＵＶおよび可視光線（白色光および青色光）を照射した場合、光ディスク２１からの反射光を受光したときの光強度がそれぞれ所定の値以上であれば装着されている光ディスク２１が特定の光ディスクであると判定できる光強度に関するデータであって、予め算出して記憶手段５０に記憶させておく。
【００２９】
さらに、ＣＰＵ４８には、ＲＧＢセンサ４６によって測定された各光強度の値を一旦記憶させておく測定結果記憶手段５５が設けられている。
測定結果記憶手段５５は、ＣＰＵ４８内部のメモリ領域であっても、ＣＰＵ外部に接続されているＲＡＭ等のメモリであってもよい。
【００３０】
なお、本実施例では、ＵＶ、白色および青色の３種類の光を光ディスク２１に照射した場合のそれぞれの光における、ＲＧＢセンサ４６での赤色、緑色および青色の３種類の受光強度の閾値が光ディスク判別用データとして記憶されている。
これを具体的に説明すると、この光ディスク判別用データは、ＵＶを光ディスク２１に照射した場合にＲＧＢセンサ４６において検出される赤色光、緑色光および青色光の光強度の閾値、白色光を光ディスク２１に照射した場合にＲＧＢセンサ４６において検出される赤色光、緑色光および青色光の光強度の閾値、ならびに青色光を光ディスク２１に照射した場合にＲＧＢセンサ４６において検出される赤色光、緑色光および青色光の光強度の閾値からなる。
【００３１】
ＣＰＵ４８は、ＲＧＢセンサ４６で検出されたＵＶ、白色および青色の光を照射した場合のそれぞれにおける赤色、緑色および青色の反射光強度と、記憶手段５０に記憶されている各反射光強度の閾値とを比較し、それぞれの反射光強度が閾値を越えている場合には特定の光ディスク２１であると判別する判別手段５２と、判別手段５２によって特定の光ディスクであると判別された場合にのみデータ書き込み可能とし、特定の光ディスク以外の光ディスクであると判別された場合にはデータ書き込みを実行しないように各構成要素を制御する制御手段５４とを備えている。
このような、判別手段５２および制御手段５４は、上記のような動作をするように記述された制御プログラムをＣＰＵ４８が読み込むことにより実行される。
【００３２】
また、上述したような特定の光ディスクであるか否かを判別するための機能としては、ディスク判別用データを用いて所定の光を照射した場合の反射光強度を閾値と比較する方法だけではない。
例えば、図２に示すように、光ディスク２１がＣＤである場合、光ディスク２１の最内周に設けられているリードイン２９のＡＴＩＰ（Absolute Time In Pre-groove）には、製造メーカやディスクの種類といったＡＴＩＰ情報が光ディスク製造時に予め記録されているが、特定の光ディスクにはＡＴＩＰ情報に特定の光ディスクである旨のデータが記録されているはずなので、ＣＰＵ４８がこのＡＴＩＰ情報を読み込んで、判別手段５２がＡＴＩＰ情報を基に特定の光ディスクであるか否かを判別することもできる。
【００３３】
また、光ディスク装置２０は、判別手段５２の判別動作が長期にわたって精度良く実行できるように、メンテナンスを自動的に行なう補正手段５６が設けられている。補正手段５６は、ＣＰＵ４８の一機能として設けられていればよいが、ＣＰＵ４８とは別個のＩＣ等がその機能を有していてもよい。
【００３４】
補正手段５６は、予め設定された期間おきに、各ＬＥＤ４０〜４４の照射光の強度が初期状態から変化しているかどうかをチェックし、各ＬＥＤ４０〜４４の照射光の強度が初期状態から変化している場合には、ＲＧＢセンサ４６が受光する光強度を初期状態の値に戻すように補正するものである。
ここでいう初期状態の値（初期値）とは、光ディスク装置２０の出荷時において、各ＬＥＤ４０〜４４の照射光を補正用反射板５８にて反射させた反射光強度のことであり、各光ディスク装置２０について出荷時にそれぞれ測定して初期値記憶手段６０に記憶されている。
【００３５】
図３に示すように、本実施例では、補正用反射板５８は、光ピックアップ２４のレーザ光の照射面（対物レンズ２４ａが設けられている面）と反対側の面に設けられている。ここでは補正用反射板５８として、白色のアクリル製等の合成樹脂製の板状体を用いているが、特に白色に限定するものではない。
なお、補正用反射板５８に必要な特性として、ＵＶや読み書き用のレーザ光に耐性を有することが必要である。
【００３６】
以下、補正手段５６の補正動作について、図３〜図５に基づいて説明する。
補正手段５６は、光ディスク２１の着脱を常にカウントしている（ステップＳ１００）。光ディスク２１の着脱が予め決められた所定回数（例えば５０回）に達した場合（ステップＳ１０２）には、各ＬＥＤ４０〜４４の照射光のチェックを行なう。ただし、この所定回数はＣＰＵ４８に接続されているメモリ等に予め記憶させておく。
【００３７】
また、各ＬＥＤ４０〜４４の照射光のチェックは、光ディスク２１が装着されているときは光ディスク２１からの反射の影響もあって精度良くできないので、光ディスク２１が装着されていないときに実行する（ステップＳ１０４）。
【００３８】
まず、補正手段５６は、補正用反射板５８が各ＬＥＤ４０〜４４の照射光の光軸に対して直交する位置になるように、光ピックアップ２４を各ＬＥＤ４０〜４４の上方に移動させる（ステップＳ１０６）。そして、補正手段５６は、各ＬＥＤ４０〜４４からＵＶ、白色光、青色光をそれぞれ補正用反射板５８へ向けて照射させ、各光の補正用反射板５８の反射光をＲＧＢセンサ４６で検出する。
【００３９】
補正手段５６は、照射した白色光、ＵＶ、青色光における検出した赤色、緑色、青色の反射光強度と、初期値記憶手段６０に記憶されている各初期値とを比較する。そして、補正手段５６は、初期値と補正用反射板５８で反射させた光強度との差を算出し、この差が予め決められた閾値を越えているか否かを判断する（ステップＳ１１４）。
この差が予め決められた閾値を越えているものがある場合には（ステップＳ１１６）、閾値を越えた照射光を照射したＬＥＤの照射光強度が下がっているものとし、補正手段５６は、各ＬＥＤ４０〜４４を駆動するドライブ回路を制御して該当するＬＥＤの輝度を上昇させる。なお、上記の差が閾値を越えている場合には、ＬＥＤの輝度を上昇させるだけでなく、補正手段５６がＲＧＢセンサ４６の検出感度を上昇させるように制御してもよい（ステップＳ１１８）。
【００４０】
ＬＥＤの輝度調節もしくはＲＧＢセンサ４６の感度調節が終了するか、またはステップＳ１１６において上記の差が閾値を越えていなかった場合には、補正動作は終了する（ステップＳ１２０）。
【００４１】
次に、光ディスク装置における特定の光ディスクの判別方法について、図６〜図８に基づいて説明する。
まず、ユーザが光ディスク２１を光ディスク装置２０内に挿入すると、図示しないトレイ等が駆動して光ディスク２１がスピンドルモータ２２の先端部のターンテーブルに装着される。これに伴い、ＣＰＵ４８は光ピックアップ２４に試しにレーザ光を照射させ、光ディスク２１からの反射光があった場合には、ＣＰＵ４８は光ディスク２１が装着されたことを検知する（ステップＳ２００）。
【００４２】
光ディスク２１が装着されたことが判明した場合には、ＣＰＵ４８は回転制御信号ｈを出力してスピンドルモータ２２を所定の回転速度で回転させる（ステップＳ２０２）と共に、送り制御信号ｉを出力して光ピックアップ２４の送りモータ２７を駆動させて光ピックアップ２４を光ディスク２１の最外周に移動させる（ステップＳ２０４）。
このように、光ピックアップ２４を光ディスク２１の最外周に移動させるのは、光ピックアップ２４をＵＶＬＥＤ４０、白色ＬＥＤ４２および青色ＬＥＤ４４から遠ざけることが理由である。すなわち、ＵＶＬＥＤ４０、白色ＬＥＤ４２および青色ＬＥＤ４４の照射時に光ピックアップ２４がその近傍に存在していると、これらＵＶ、白色光あるいは青色光を光ピックアップ２４が反射してしまい、ＲＧＢセンサ４６による光ディスク２１からの反射光の検出に影響を与えるからである。
【００４３】
そして、ＣＰＵ４８は、光ディスク２１に対して白色光を照射するように白色ＬＥＤ４２にオン−オフ制御信号ｆを出力し、ＲＧＢセンサ４６に対しては白色光の反射光に対して赤色、緑色および青色の３色の反射光強度を検出するようにフィルター切換信号ｇを出力する（ステップＳ２０６）。
白色光照射時に、ＲＧＢセンサ４６が検出した各色における光強度の値は、ＣＰＵ４８が、測定結果記憶手段５５内に記憶させておく。
【００４４】
次に、ＣＰＵ４８は、光ディスク２１に対してＵＶを照射するようにＵＶＬＥＤ４０にオン−オフ制御信号ｆを出力し、ＲＧＢセンサ４６に対してはＵＶの反射光に対して赤色、緑色および青色の３色の反射光強度を検出するようにフィルター切換信号ｇを出力する（ステップＳ２０８）。
ＵＶ照射時に、ＲＧＢセンサ４６が検出した各色における光強度の値は、ＣＰＵ４８が、測定結果記憶手段５５内に記憶させておく。
【００４５】
そして、ＣＰＵ４８は、光ディスク２１に対して青色光を照射するように青色ＬＥＤ４０にオン−オフ制御信号ｆを出力し、ＲＧＢセンサ４６に対しては青色光の反射光に対して赤色、緑色および青色の３色の反射光強度を検出するようにフィルター切換信号ｇを出力する（ステップＳ２１０）。
青色光照射時に、ＲＧＢセンサ４６が検出した各色における光強度の値は、ＣＰＵ４８が、測定結果記憶手段内に記憶させておく。
【００４６】
このように、本実施例によるステップＳ１０６、Ｓ１０８およびＳ１１０の工程によって検出される光強度の値は９つである（図８参照）。
【００４７】
なお、ここでの例では、白色、ＵＶ、青色の順番にＬＥＤの光を照射させたが、本発明としては光ディスク２１に対して照射させていくか光の順番は、この順番に限定されるものではなく、どのような順番で照射させてもよい。
【００４８】
また、白色、ＵＶ、青色の各光照射時のＲＧＢセンサ４６による反射光の光強度の測定も、赤色、緑色、青色の順番で測定することに限定されるものではなく、どのような順番で光強度を検出してもよい。
【００４９】
そしてＣＰＵ４８は、送り制御信号ｉを出力して光ピックアップ２４の送りモータ２７を制御し、光ピックアップ２４を光ディスク２１の最内周に移動させる（ステップＳ２１２）。
そして、ＣＰＵ４８は、光ピックアップ２４に光ディスク２１のリードイン２９に記録されているＡＴＩＰ情報を読み出させる（ステップＳ２１４）。
【００５０】
ＡＴＩＰ情報は、ＲＦアンプ２６を介してＣＰＵ４８内に入力される。ＣＰＵ４８では入力されたＡＴＩＰ情報を解析して、当該光ディスク２１が特定の光ディスクであるか否かを判断する（ステップＳ２１６）。もしも、ＡＴＩＰ情報に特定の光ディスクである旨の記録がされていなければ、ＣＰＵ４８は、装着されている光ディスク２１は特定の光ディスクでは無いと判別する（ステップＳ２１９）。
ＣＰＵ４８がＡＴＩＰ情報を解析した結果、特定の光ディスクである旨の記録があれば、ステップＳ２２０へ移行する。
【００５１】
ステップＳ２２０では、ＣＰＵ４８は、ステップＳ２０６、Ｓ２０８およびＳ２１０において予め測定して記憶させておいた、白色光、ＵＶおよび青色光を照射したときのＲＧＢセンサ４６における赤色、緑色および青色の光強度の値を測定結果記憶手段５５から取り出し、予め記憶させておいたディスク判別用データである各光強度の閾値を記憶手段５０から取り出し、対応するそれぞれの値を比較する（ステップＳ２１８）。
比較の結果、測定した全ての光強度の値が閾値を越えている場合には、特定の光ディスクであると判別する（ステップＳ２２０）。
【００５２】
ステップＳ２１８において、ＣＰＵ４８は、予め測定して記憶させておいた白色光、ＵＶおよび青色光を照射したときのそれぞれのＲＧＢセンサ４６における赤色、緑色および青色の光強度の値のうち、記憶手段５０から取り出した閾値を越えないものが１つでも存在している場合には、特定の光ディスクでは無いと判別する（ステップＳ２１９）。
このように、ＡＴＩＰ情報では特定の光ディスクであると判別された場合であっても、実際にＵＶ、白色および青色のそれぞれの光を照射して反射光を測定することによって、判別の正確を期すことができる。
すなわち、通常の光ディスクに偽のＡＴＩＰ情報を記録し、蛍光体を混入させたように見た目の色を特定の光ディスクに模した偽特定光ディスクの製造も可能であるので、このような偽特定光ディスクを精度良く判別することができる。
【００５３】
なお、特定の光ディスクではないと判別された場合（ステップＳ２１９）には、ＣＰＵ４８の制御手段５４は、この光ディスクに対してはデータ書き込みをしないようにスピンドルモータ２２、光ピックアップ２４、エンコーダ３０等の各構成要素を制御する(ステップＳ２２１）。
【００５４】
一方、特定の光ディスクであると判別された場合（ステップＳ２２０）には、この光ディスクに対しては、ユーザの操作通りにデータの書き込みを実行すべく、ＣＰＵ４８の制御手段５４は、スピンドルモータ２２、光ピックアップ２４、エンコーダ３０等の各構成要素を制御する(ステップＳ２２２）。
【００５５】
なお、上述してきた実施例においては、ＵＶ、白色光、青色光の３種類の光を照射する場合についてのみ説明したが、本発明としては、ＵＶと可視光線を照射するのであれば、実施例の組み合わせに限定されることはない。
【００５６】
（実施例２）
上述した実施例においては、補正用反射板５８は光ピックアップ２４のレーザ光照射面と反対側の面に配置されているものであった。
しかし、補正用反射板５８の配置位置はこのようなものに限定することはなく、図９に示すように、光ディスク装置２０の外壁を構成するトップケース６２の内壁面であってもよい。
【００５７】
かかる場合であっても、補正手段５６の補正動作は上述した実施例と同様であり、ここでは詳述しない。なお、本実施例においては、光ピックアップ２４がトップケース６２に設けられた補正用反射板６０と各ＬＥＤ４０〜４４との間に存在していると照射光の照射に支障をきたすので、図４のステップＳ１０６においては補正手段５６が光ピックアップ２４を各ＬＥＤ４０〜４４の上方から他の位置へ移動させるようにする。ただし、もともと光ピックアップ２４が各ＬＥＤ４０〜４４の上方に存在しない場合には、補正手段５６は光ピックアップ２４をそのままの位置に保持する。
【００５８】
（他の実施例）
なお、上述した各実施例において、補正手段５６が補正動作を行なうときは、光ディスク２１の着脱が所定の回数を越えた場合についてのみ説明した。しかし、補正動作を実行するのはこのような場合には限定されない。
例えば、光ディスク装置の電源がオン−オフされる都度、補正手段５６が補正動作を実行するようにしてもよい。また、補正手段５６は、光ピックアップ２４の発光回数を常時カウントしており、光ピックアップ２４の発光回数が予め設定された所定回数を超えた場合に補正を実行してもよいし、光照射手段である各ＬＥＤ４０〜４４の発光回数を常時カウントしており、各ＬＥＤ４０〜４４の発光回数が予め設定された所定回数を超えた場合に補正を実行するようにしてもよい。
さらに、補正動作実行のタイミングをユーザが指定できるように設けてもよい。
【００５９】
なお、補正動作実行中にトレイ（図示せず）が開閉すると、装置外部からの光が差し込んでしまうので正確な補正動作が実行できないと考えられる。このため、補正動作実行中においては、ＣＰＵ４８はトレイの開閉が行なわれないように制御すると好適である。
また、補正動作実行中にユーザがトレイの開閉動作をしないように、補正動作中であることをユーザに示す表示手段（図示せず）を設けても良い。表示手段としては、光ディスク装置３０のパネル面側に設けられているＬＥＤを用い、該ＬＥＤの発光パターンを変更することによって補正動作中であることを表示してもよい。
【００６０】
なお、上述してきた各実施例においては、ＵＶ、白色光、青色光の３種類の光を照射するＬＥＤを設けた場合についてのみ説明したが、本発明としては、ＬＥＤの種類はこれに限定されることはない。
【００６１】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００６２】
【図１】本発明にかかる光ディスク装置の内部構成を示すブロック図である。
【図２】光ディスクのリードイン領域について説明する光ディスクの断面図である。
【図３】補正手段の周辺構造について説明するブロック図である。
【図４】補正手段の補正動作について説明するフローチャートである。
【図５】図４のフローチャートの続きである。
【図６】光ディスクの判別方法について説明するフローチャートである。
【図７】図６のフローチャートの続きである。
【図８】光ディスク判別のために光ディスク装置が検出する光の種類をまとめた説明図である。
【図９】実施例２における補正手段の周辺構造について説明するブロック図である。
【符号の説明】
【００６３】
１     実施例
１     特許文献
２     実施例
２     特許文献
７     特開平
２０   各光ディスク装置
２０   光ディスク装置
２１   光ディスク
２１   当該光ディスク
２２   スピンドルモータ
２４   光ピックアップ
２４ａ 対物レンズ
２５   スレッド軸
２６   ＲＦアンプ
２７   送りモータ
２８   サーボプロセッサ
２９   リードイン
３０   エンコーダ
３１   ＰＬＬ回路
３２   レーザドライバ
４６   ＲＧＢセンサ
５０   記憶手段
５２   判別手段
５４   制御手段
５５   測定結果記憶手段
５６   補正手段
５８   補正用反射板
６０   初期値記憶手段
６２   トップケース
ａ     レーザ反射光強度信号
ｂ     トラッキングエラー信号
ｃ     フォーカスエラー信号
ｄ     ウォブル信号
ｅ     同期信号
ｆ     オン−オフ制御信号
ｇ     フィルター切換信号
ｈ     回転制御信号
ｉ     送り制御信号                                                    
【図１】
2006236462.tif 000003
【図２】
2006236462.tif 000004
【図３】
2006236462.tif 000005
【図４】
2006236462.tif 000006
【図５】
2006236462.tif 000007
【図６】
2006236462.tif 000008
【図７】
2006236462.tif 000009
【図８】
2006236462.tif 000010
【図９】
2006236462.tif 000011